(57)【要約】【課題】機器の充電回路に非接触で充電エネルギを供給することができて消毒・滅菌性を損なうことなく、医療関連機器を使用する際、直ちに使用することができる。【解決手段】充電回路４５，５２を有する医療関連機器６，８を収納して消毒・滅菌可能な保管用滅菌トレイ１において、非接触で前記充電回路４５，５２に充電エネルギを送る送電装置６３，６４を備えた非接触式充電装置付滅菌トレイ。【選択図】      図１
2005348941.tif 000002
【特許請求の範囲】
【請求項１】
充電回路を有する医療関連機器をトレイ本体に収納して消毒・滅菌可能な保管用滅菌トレイにおいて、非接触で前記充電回路に充電エネルギを送る送電装置を備えたことを特徴とする非接触式充電装置付滅菌トレイ。
【請求項２】
前記送電装置がトレイ本体に着脱可能に取り付けられることを特徴とする請求項１の非接触式充電装置付滅菌トレイ。
【発明の詳細な説明】
【技術分野】
【０００１】
本発明は、バッテリー式の内視鏡や撮像装置または光源等の医療関連機器の充電器を収納して非接触で充電するようにした非接触式充電装置付滅菌トレイに関する。
【背景技術】
【０００２】
近年、操作性を向上させるために、電力を供給するケーブルを省いたバッテリー式内視鏡や内視鏡用ビデオカメラまたは内視鏡用光源が提供されている。例えば、電力受信アンテナにより外部から送信された電波を受信して充電を可能にしたバッテリー式内視鏡用ビデオカメラが特開２００１−２５１６１１で開示されている。また、内視鏡用バッテリー式光源を収納しながら充電できるようにした内視鏡用キャリングケースが特開２０００−２２９０６０に開示されている。
【特許文献１】特開２００１−２５１６１１
【特許文献２】特開２０００−２２９０６０
【発明の開示】
【発明が解決しようとする課題】
【０００３】
検査室や手術室には内視鏡の他にも内視鏡周辺装置やその他の医療機器が設置されており、特に最近では精密な電子機器も多く使用されるようになってきている。これらの機器の誤作動を防ぐために電波を飛ばすことは極力禁じられるものとされている。このようなことから検査や手術中に無線方式による充電を行う前記バッテリー式内視鏡用ビデオカメラのような医療機器は実現上問題があった。
【０００４】
また、キャリングケースに収納している時に内視鏡用バッテリー式光源に充電する内視鏡用キャリングケースを利用する際、そのバッテリー式光源を使用する場合は、バッテリー式光源の外表面が消毒・滅菌されている必要がある。しかし、そのキャリングケース内および充電用接点端子などは不潔域であるため、バッテリー式光源を充電後に消毒・滅菌する処理作業が新たに必要であり、バッテリー式光源を実際に使用できるまでの手間が多く掛かるという問題があった。
【０００５】
本発明は、上記課題に着目してなされたもので、その目的とするところは、消毒・滅菌性を損なうことなく、医療関連機器の充電回路に非接触で充電エネルギを供給することができると共に、医療関連機器を使用する際、医療関連機器を直ちに使用することができる非接触式充電装置付滅菌トレイを提供することにある。
【０００６】
本発明の他の目的は、送電装置を着脱可能とし、高圧蒸気滅菌等、条件の厳しい消毒・滅菌を行うとき、その送電装置を取り外せる非接触式充電装置付滅菌トレイを提供することにある。
【課題を解決するための手段】
【０００７】
請求項１に係る発明は、充電回路を有する医療関連機器を収納して消毒・滅菌可能な保管用滅菌トレイにおいて、非接触で前記充電回路に充電エネルギを送る送電装置を備えたことを特徴とする非接触式充電装置付滅菌トレイである。  
請求項２に係る発明は、前記送電装置がトレイ本体に着脱可能に取り付けられることを特徴とする請求項１の非接触式充電装置付滅菌トレイである。
【発明の効果】
【０００８】
本発明によれば、滅菌トレイに機器（器材）を入れたままその機器に充電をすることができるので、充電する機器を清潔なままに保てる。また、「消毒・滅菌、保管」と、「充電」という工程を同時に行えるため、それらの工程の短縮が図れる。さらに、条件の厳しい消毒・滅菌に対しても対応が可能になる。しかも、複数の機器をそれぞれの滅菌トレイにセットする場合、送電ユニットを共用することができるので、ユーザーのコストメリットが生むことができる。
【発明を実施するための最良の形態】
【０００９】
＜第１の実施形態＞
本発明の第１の実施形態に係る滅菌トレイについて図１〜図７に基づいて説明する。
【００１０】
（構成）
図１は本実施形態に係る滅菌トレイ１の全体的構成を概略的示す斜視図である。図１に示すように、滅菌トレイ１は収容体としてのトレイ本体２とトレイ蓋３を備える。トレイ蓋３はトレイ本体２の上面に被せられるものであり、トレイ本体２から取り外せる着脱可能なものである。
【００１１】
図１に示すように、トレイ本体２には直接またはトレイ本体２に収納される別部材の内部ケースに対して断面凹部形状の収納室５が形成されている。収納室５には充電可能なバッテリーを搭載した内視鏡用バッテリー型ＴＶカメラ６を固定的に設置するカメラ固定部７と、同じく充電可能なバッテリーを搭載したバッテリー型光源８を固定的に設置する光源固定部９が設けられている。カメラ固定部７と光源固定部９はその設置対象の内視鏡用バッテリー型ＴＶカメラ６及びバッテリー型光源８の外部形状に応じてその外周部分を嵌め込める凹部や係止部等を備える。ここでは、図１に示すように、枠１１，１２に凹部１３，１４等を形成して前記固定部７，９を構成している。
【００１２】
前記トレイ本体２の外側壁部には、前記バッテリー型ＴＶカメラ６とバッテリー型光源８を非接触で遠隔的に充電するための送電（充電）ユニット６２が取り付けられている。送電ユニット６２にはバッテリーケーブル２２が接続されている。バッテリーケーブル２２の先端にはプラグ２３が設けられている。バッテリーケーブル２２の先端部分には消毒・滅菌時にプラグ２３の接点部２４を保護するためにそのプラグ２３に着脱可能に装着される保護キャップ２５が取り付けられている。送電ユニット６２には電源スイッチ（図示せず）を設けてもよい。
【００１３】
図２はバッテリー型ＴＶカメラ６とバッテリー型光源８が使われるときの使用形態での内視鏡システム全体の概略的な構成を示している。
【００１４】
内視鏡３０はファイバースコープの例であり、この内視鏡３０は挿入部３１と手元操作部３２を備え、手元操作部３２には接眼部３３やライトガイド口金３４およびアングルノブ３５等が設けられている。接眼部３３にはその内視鏡３０により被写体像が結像される。接眼部３３には充電可能なバッテリーを搭載したバッテリー型ＴＶカメラ６が着脱可能である。ＴＶカメラ６には直接的にモニター３６へ映像信号を出力するためのカメラケーブル３７が接続されている。内視鏡３０のライトガイド口金３４は前記バッテリー型光源８が着脱可能である。
【００１５】
次に、図３を参照して前記ＴＶカメラ６の内部構成について説明する。図３は内視鏡３０の接眼部３３に装着した状態でＴＶカメラ６を縦断して示す断面図である。すなわち、ＴＶカメラ６は、内視鏡３０による被写体像の焦点の調整機能とその撮像画を拡大するズーム機能を有する光学アダプター部４１と、内視鏡３０の接眼部３３に結像される被写体像を受けて撮像画の光電変換を行うＣＣＤ等の撮像素子４２と、撮像素子４２からの撮像信号を前記モニター３６で表示可能な映像信号に変換する映像処理を行う映像処理部４３と、撮像素子４２や映像処理部４３へ電力を供給する充電池（バッテリー）４５と、外からの磁力の変化に応じて電流を生じるカメラ用受電コイル４６を有する（被）充電回路とを備える。
【００１６】
上述した撮像素子４２、映像処理部４３、充電池４５、カメラ用受電コイル４６はいずれもカメラ枠４７に固定されている。撮像素子４２、映像処理部４３及び充電池４５は互いに電気的に接続されている。また、映像処理部４３にはカメラケーブル４８が電気的に接続されている。このカメラケーブル４８はカメラ枠４７から外へ延び、モニター３６に映像信号を電送可能となっている。
【００１７】
次に、図４を参照してバッテリー型光源８の内部構成について説明する。図４はバッテリー型光源８の縦断面図である。バッテリー型光源８は、発光手段であるランプ５１と、このランプ５１に電力を供給する充電池（バッテリー）５２と、この充電池５２に電気的に接続される光源用受電コイル５３を有した（被）充電回路と、を備える。これらの部品はいずれも光源枠５４内に配置されている。
【００１８】
内視鏡３０のライトガイド口金３４に接続する光源枠５４の端部にはそのライトガイド口金３４にランプ５１からの光を導光するライトガイドで構成される導光部５５が設けられている。また、光源枠５４の他方端部にはランプ５１等の部品を交換するための蓋５６が設けられている。
【００１９】
次に、図５を参照して、トレイ本体２の内部構成について説明する。図５はトレイ本体２の収納室５内にバッテリー型ＴＶカメラ６およびバッテリー型光源８を収納した状態を示している。バッテリー型ＴＶカメラ６はカメラ固定部７に位置決め固定され、バッテリー型光源８は光源固定部９に位置決め固定される。トレイ本体２は消毒・滅菌に対して耐性のある材質で作られた収納ケース枠（内部ケース）６１を備え、この収納ケース枠６１の部分の外側が送電ユニット６２のユニット枠６６で囲まれている。
【００２０】
前記送電ユニット６２の内部には第１送電コイル６３と第２送電コイル６４が間隔をあけて配置されるようになっており、その第１送電コイル６３と第２送電コイル６４の間には前述したように収納したカメラ用受電コイル４６と光源用受電コイル５３が位置するにように配設されている。第１送電コイル６３と第２送電コイル６４は夫々制御回路６５と電気的に接続されている。
【００２１】
前記送電ユニット６２のユニット枠６６は消毒・滅菌に対して耐性のある材質で作られ、第１送電コイル６３、第２送電コイル６４および制御回路６５を囲み、内部に消毒液等入らないように収納ケース枠６１に固定されている。
【００２２】
（作用）
本実施形態における充電の原理について説明する。まず、図６に示すように、バッテリー型ＴＶカメラ６とバッテリー型光源８を滅菌トレイ１の収納室５に収納し、バッテリーケーブル２２のプラグ２３を商用電源のコンセント２６に接続する。また、送電ユニット６２に電源スイッチを設けている場合はその電源スイッチをオンし、送電ユニット６２に通電する。
【００２３】
すると、図５に示す制御回路６５は第１送電コイル６３と第２送電コイル６４に流れる電流を周期的に増減させる。これにより第１送電コイル６３と第２送電コイル６４から生じる磁力線が周期的に変化する。このように磁力線が変化することにより、バッテリー型ＴＶカメラ６のカメラ用受電コイル４６とバッテリー型光源８の光源用受電コイル５３には電磁誘導による起電力が生じて電流が流れる。その結果、バッテリー型ＴＶカメラ６およびバッテリー型光源８に内蔵された充電池４５，５２に蓄電がなされる。つまり、上述した受電コイル４６，５３は非接触的に充電エネルギを受けて充電池４５，５２を充電する充電回路となっている。
【００２４】
次に、実際に使用する際の滅菌トレイ１の作用について説明する。図２に示すように、内視鏡３０にバッテリー型ＴＶカメラ６とバッテリー型光源８を装着して内視鏡３０を検査や手術等に使用した後、バッテリー型ＴＶカメラ６とバッテリー型光源８を内視鏡３０から取り外す。取り外したバッテリー型ＴＶカメラ６やバッテリー型光源８は洗滌後、滅菌トレイ１に収納し、消毒・滅菌処理がなされ、この後もそのまま滅菌トレイ１に収納される。
【００２５】
すなわち、使用後の内視鏡３０から取り外したバッテリー型ＴＶカメラ６やバッテリー型光源８の表面の汚れを洗滌し、この後、滅菌トレイ１のトレイ本体２における収納室５のカメラ固定部７にバッテリー型ＴＶカメラ６を固定し、また、光源固定部９にバッテリー型光源８を固定する。
【００２６】
次に、消毒液で消毒する。この場合は、図６に示すように、トレイ蓋３を外したまま、トレイ本体２の収納室５内に消毒液２７を入れ、バッテリー型ＴＶカメラ６やバッテリー型光源８を収納した収納室５内を消毒液２７で満たし、所定の時間放置する。その際、近くのコンセント２６にバッテリーケーブル２２のプラグ２３を接続する。これにより、消毒を実施しながらバッテリー型ＴＶカメラ６やバッテリー型光源８に充電することができる。このときの充電の原理は上述した通りである。
【００２７】
図７に示すように、例えばエチレンオキサイドガス滅菌といった処理を行う専用釜６７によって滅菌するような場合は、専用釜６７内に滅菌トレイ１を投入する前にトレイ蓋３を取り付け、バッテリーケーブル２２のプラグ２３に保護キャップ２５を被せて滅菌トレイ１ごと専用釜６７内に投入して滅菌を行う。
【００２８】
このエチレンオキサイドガス滅菌終了後は滅菌トレイ１に入れたまま、次に使用するときまで保管する。保管している間に図６のようにバッテリーケーブル１０のプラグ２３を商用電源のコンセント２６に接続してバッテリー型ＴＶカメラ６やバッテリー型光源８に充電をすればよい。
【００２９】
（効果）
本実施形態では充電しようとする機器（ＴＶカメラや光源等の器材）を滅菌トレイ１に入れたまま充電をすることができるので、充電しようとする機器を清潔なままに保てる。また、「消毒・滅菌、保管」と、「充電」という工程を同時に行えるため、それら一連の工程処理時間の短縮化が図れる。
【００３０】
ＴＶカメラと内視鏡が一体化したバッテリー式ビデオ内視鏡においてもそのバッテリー式ビデオ内視鏡を前記同様な滅菌トレイ１に収納するようにすれば、同様の効果が得られる。
【００３１】
バッテリー型ＴＶカメラ６とバッテリー型光源８の充電完了の告知はその器材に例えばＬＥＤや液晶パネル等の表示器を設け、その表示器に視認できる表示を点灯させるようにすればよい。
【００３２】
＜第２の実施形態＞
本発明の第２の実施形態に係る滅菌トレイについて図８に基づいて説明する。以下に説明する第２の実施形態では上述した第１の実施形態と同様な構成及び機能を果たす部分には同一の符号を付して重複する説明を省略する。
【００３３】
（構成）
図８は本実施形態に係る滅菌トレイのトレイ本体２の裏面部分を示す。トレイ本体２、送電ユニット６２には左右一対の固定溝７１が配設されている。トレイ本体２には前記一対の固定溝７１が嵌まり込む一対の突部７２が設けられている。そして、送電ユニット６２の固定溝７１をトレイ本体２の突部７２に嵌め込むことにより、トレイ本体２に送電ユニット６２を着脱自在に接続する着脱手段を構成する。
【００３４】
（作用）
本実施形態の作用について説明する。病院で実施する滅菌方法に高温高圧の蒸気に滅菌物を曝して滅菌する高温高圧蒸気滅菌法というものがある。この滅菌方法に対して耐性が有する送電ユニット６２を作ろうとすると、あらゆる隙間を気密的に封止する必要があり、とても高価になってしまう。
【００３５】
しかし、本実施形態の場合のように、着脱手段である固定溝７１と突部７２を設け、トレイ本体２に対して送電ユニット６２を着脱自在としたので、高圧蒸気滅菌時に送電ユニット６２が耐えられないような、消毒・滅菌を行う際には送電ユニット６２をトレイ本体２から外した状態で滅菌し、その滅菌終了後に送電ユニット６２をトレイ本体２に取り付けて充電する。もちろん、送電ユニット６２が耐性を有する消毒・滅菌方法の場合はトレイ本体２に送電ユニット６２を取り付けたまま行っても構わない。また、上述したエチレンオキサイドガス滅菌の場合にも適用できる。
【００３６】
また、複数のバッテリー型ＴＶカメラ、バッテリー型光源、滅菌トレイを有する場合、それらの充電は複数の滅菌トレイ１に対し送電ユニット６２が一つあれば十分に機能する。
【００３７】
（効果）
上述した第１の実施形態と同様、非接触で受電して充電可能な充電回路を有する内視鏡や撮像装置または光源等の機器をトレイに入れたまま、消毒・滅菌性を損なうことなく、充電することができる。
【００３８】
高圧蒸気滅菌等、条件の厳しい消毒・滅菌を行うときには、充電装置を取り外して、内視鏡や撮像装置または光源等の機器をトレイに入れて消毒・滅菌し、終了後、トレイに入れたまま保管しているときに送電装置を取り付けて充電を行うことができる。したがって、条件の厳しい消毒・滅菌に対しても対応が可能になる。
【００３９】
また、複数のＴＶカメラ、バッテリー型光源、滅菌トレイのセットを有する場合、送電ユニット６２を一つで済ますことができるので、ユーザーのコストメリットを生むことができる。
【００４０】
なお、本発明は前述した実施形態のものに限定されるものではなく、他の形態にも適用が可能である。  
また、前述した説明によれば、以下の事項またはそれらの事項を適宜選択して組み合わせた事項が得られる。
【００４１】
＜付記＞
１．充電回路を有する医療関連機器をトレイ本体に収納して消毒・滅菌可能な保管用滅菌トレイにおいて、非接触で前記充電回路に充電エネルギを送る送電装置を備えたことを特徴とする非接触式充電装置付滅菌トレイ。  
２．前記送電装置がトレイ本体に着脱可能に取り付けられることを特徴とする第１項の非接触式充電装置付滅菌トレイ。  
３．前記充電装置はトレイ本体の外側に配置されていることを特徴とする第１項または第２項に記載の非接触式充電装置付滅菌トレイ。  
４．前記充電回路の部分を嵌め込める充電回路固定手段と、この充電回路固定手段を近傍に前記送電装置が配設されることを特徴とする第１項、第２項または第３項に記載の非接触式充電装置付滅菌トレイ。
【図面の簡単な説明】
【００４２】
【図１】本発明の第１実施形態に係る滅菌トレイ、バッテリー型ＴＶカメラおよびバッテリー型光源を示す斜視図。
【図２】前記バッテリー型ＴＶカメラと前記バッテリー型光源が使われる形態での内視鏡システム全体構成の概略的な説明図。
【図３】内視鏡に取り付けた状態での前記バッテリー型ＴＶカメラの縦断面図。
【図４】前記バッテリー型光源の縦断面図。
【図５】前記バッテリー型ＴＶカメラと前記バッテリー型光源を収納した状態での前記滅菌トレイの縦断面図。
【図６】前記バッテリー型ＴＶカメラと前記バッテリー型光源を前記滅菌トレイに収納した状態で消毒する状況の斜視図。
【図７】前記滅菌トレイに収納した状態で前記バッテリー型ＴＶカメラと前記バッテリー型光源を専用釜によってエチレンオキサイドガス滅菌する場合の説明図。
【図８】本発明の第２の実施形態に係る滅菌トレイのトレイ本体と充電ユニットの関係を示す斜視図。
【符号の説明】
【００４３】
１…滅菌トレイ、２…トレイ本体、３…トレイ蓋、５…収納室
６…ＴＶカメラ、７…カメラ固定部、８…バッテリー型光源
９…光源固定部、１０…バッテリーケーブル、２７…消毒液
３０…内視鏡、３１…挿入部、３２…手元操作部、３３…接眼部
４５…充電池、４６…カメラ用受電コイル、４７…カメラ枠
４８…カメラケーブル、５１…ランプ、５２…充電池
５３…光源用受電コイル、５６…蓋、６２…送電ユニット
６３…第１の送電コイル、６４…第２の送電コイル、６５…制御回路
【図１】
2005348941.tif 000003
【図２】
2005348941.tif 000004
【図３】
2005348941.tif 000005
【図４】
2005348941.tif 000006
【図５】
2005348941.tif 000007
【図６】
2005348941.tif 000008
【図７】
2005348941.tif 000009
【図８】
2005348941.tif 000010